(57)【要約】【課題】プレイリストを光ディスクに記録し、煩わしい操作をユーザに行わせることなく、他の装置においても光ディスクに記録されたコンテンツを容易に把握できる光ディスク装置を提供する。【解決手段】制御部４は、ＰＵヘッド２が映像データを光ディスク１００に記録する際、該映像データの所定の間隔毎に、１０秒間再生する映像データそのものをプレイリストとして作成する。この作成は、記録再生部３を通過するエンコード後の映像データを５分毎に１０秒間ずつ取得し、順じ記憶部６に格納していくことにより達成できる。この場合、プレイリストは実体の有る映像データの一覧となる。別の方法として、制御部４は、所定の間隔を光ディスク１００のアドレスで定め、数秒間を該アドレスからの再生時間１０秒とし、該光ディスクのアドレス及び該再生時間１０秒をプレイリストとして作成する。この場合、プレイリストは実体の無いショートカットに相当する。【選択図】図４
2007179698.tif 000002
【特許請求の範囲】
【請求項１】
装置本体にセットされている光ディスクに記録された映像データを再生する際の、該映像データの再生手順を示すプレイリストを作成するプレイリスト作成手段を備える光ディスク装置において、
前記プレイリスト作成手段は、映像データを前記光ディスクに記録する際、該映像データの所定の間隔毎に、数秒間再生する映像データそのものをプレイリストとして作成し、
前記プレイリスト作成手段が前記プレイリストを作成すると、該プレイリストを光ディスクに記録するプレイリスト記録手段と、
光ディスクに記録されたプレイリストに基づいて再生するプレイリスト再生キーを有する操作手段と、
前記操作手段の前記プレイリスト再生キーが選択された際、前記光ディスクに前記プレイリスト作成手段により作成される前記プレイリストが記録されているか否か判断し、前記プレイリストが記録されている場合に、前記光ディスクに記録された前記プレイリストに基づいて映像データを再生する再生手段と、を備える光ディスク装置。
【請求項２】
装置本体にセットされている光ディスクに記録された映像データを再生する際の、該映像データの再生手順を示すプレイリストを作成するプレイリスト作成手段を備える光ディスク装置において、
前記プレイリスト作成手段は、映像データを前記光ディスクに記録する際、該映像データの所定の間隔毎に、該映像データを数秒間再生するプレイリストを作成し、
前記プレイリスト作成手段は、前記所定の間隔を光ディスクのアドレスで定め、前記数秒間を該アドレスからの再生時間とし、該光ディスクのアドレス及び該再生時間を前記プレイリストとして作成し、
前記プレイリスト作成手段が前記プレイリストを作成すると、該プレイリストを光ディスクに記録するプレイリスト記録手段と、
光ディスクに記録されたプレイリストに基づいて再生するプレイリスト再生キーを有する操作手段と、
前記操作手段の前記プレイリスト再生キーが選択された際、前記光ディスクに前記プレイリスト作成手段により作成される前記プレイリストが記録されているか否か判断し、前記プレイリストが記録されている場合に、前記光ディスクに記録された前記プレイリストに基づいて映像データを再生する再生手段と、を備える光ディスク装置。
【請求項３】
装置本体にセットされている光ディスクに記録された映像データを再生する際の、該映像データの再生手順を示すプレイリストを作成するプレイリスト作成手段を備える光ディスク装置において、
前記プレイリスト作成手段は、映像データを前記光ディスクに記録する際、該映像データの所定の間隔毎に、該映像データを数秒間再生するプレイリストを作成し、
前記プレイリスト作成手段が前記プレイリストを作成すると、該プレイリストを光ディスクに記録するプレイリスト記録手段を備える光ディスク装置。
【請求項４】
前記プレイリスト作成手段は、映像データを前記光ディスクに記録する際、該映像データの所定の間隔毎に、数秒間再生する映像データそのものを前記プレイリストとして作成する請求項３に記載の光ディスク装置。
【請求項５】
前記プレイリスト作成手段は、前記所定の間隔を光ディスクのアドレスで定め、前記数秒間を該アドレスからの再生時間とし、該光ディスクのアドレス及び該再生時間を前記プレイリストとして作成する請求項３に記載の光ディスク装置。
【請求項６】
光ディスクに記録されたプレイリストに基づいて再生するプレイリスト再生キーを有する操作手段と、
前記操作手段の前記プレイリスト再生キーが選択された際、前記光ディスクに前記プレイリスト作成手段により作成される前記プレイリストが記録されているか否か判断し、前記プレイリストが記録されている場合に、前記光ディスクに記録された前記プレイリストに基づいて映像データを再生する再生手段と、を備える請求項３から５のいずれかに記載の光ディスク装置。
【発明の詳細な説明】
【技術分野】
【０００１】
本発明は、光ディスクに記録された映像データを再生する際の、その映像データの再生手順を示すプレイリストを作成するプレイリスト作成機能付き光ディスク装置に関するものである。
【背景技術】
【０００２】
従来、録画された順番に従って再生するシーケンシャルアクセス方式に加え、光ディスクのランダムアクセス機能を活用したランダムアクセス方式を採用している光ディスク装置があった。
光ディスク装置は、例えばＤＶＤレコーダである。光ディスクは、例えばＣＤ−Ｒ、ＣＤ−ＲＷ、ＤＶＤ−Ｒ、ＤＶＤ＋Ｒ、ＤＶＤ−ＲＡＭ、ＤＶＤ−ＲＷ、又はＤＶＤ＋ＲＷである。
このような光ディスク装置は、光ディスクに記録された映像データを再生する際の、その映像データの再生手順を示すプレイリストを作成するプレイリスト作成機能を有する。光ディスク装置は、例えば映像データの所定の間隔毎に、該映像データを数秒間再生するプレイリストを作成する。光ディスク装置は、装置本体に内蔵する記憶部により、該作成したプレイリストをセット側で記憶する。
【０００３】
そして、光ディスク装置は、ユーザによってプレイリストに基づく再生が選択された場合、プレイリストに登録された映像データを再生する。この時、映像データの所定の間隔毎に、該映像データを数秒間再生するプレイリストを予め作成しておけば、シーケンシャルアクセスによって光ディスクを録画された順番に従って再生しなくとも、光ディスク装置は、映像データの所定の間隔毎に、該映像データを数秒間再生する。これにより、ユーザは光ディスクに記録されたコンテンツを容易に把握できる。
【０００４】
一方、特許文献１に記載されたような光ディスク装置が提案されている。
この光ディスク装置は、予め設定された飛び越し時間光ディスクを飛び越して、予め設定された再生時間光ディスクを再生するよう装置本体各部を制御する制御手段を備え、前記制御手段は、前記飛び越しと前記予め設定された再生時間光ディスクの再生とを交互に繰り返して光ディスクを再生するよう装置本体各部を制御することを特徴とする。
これにより、光ディスク装置は、プレイリストを活用することなく、自動で飛び越し再生が行われる。
【特許文献１】特開２００２−２３０９５０公報
【発明の開示】
【発明が解決しようとする課題】
【０００５】
しかしながら、プレイリストは、上述のように、セット側で記憶されて活用するだけのものである。そのため、ある光ディスク装置において作成したプレイリストは、他の装置において活用できない。他の装置は、例えば光ディスク装置、光ディスクドライブ装置、又はパーソナルコンピュータである。
【０００６】
そのため、せっかく作成したプレイリストが無駄となっている点問題である。このことは、プレイリストを作成する意欲の減退を招き、プレイリスト作成機能が利用されなくなるという事態を起こす。
【０００７】
さらに、上記他の装置が上記プレイリスト作成機能を有していない場合、光ディスクに記録されたコンテンツを把握するために、シーケンシャルアクセスによって光ディスクを録画された順番に従って再生しなければならなかった。又は、早送りキー或いは早戻しキーを操作することによって飛び越し再生しなければならなかった。
【０００８】
シーケンシャルアクセスによって光ディスクを録画された順番に従って再生しなければ光ディスクに記録されたコンテンツを把握できないことは、該コンテンツの容量に比例して再生時間がかかるため、ユーザに大変な苛立ちを感じさせてしまう点問題である。
【０００９】
また、早送りキー或いは早戻しキーを操作することによって飛び越し再生しなければ光ディスクに記録されたコンテンツを把握できないことは、その都度飛び越し時間を入力しなければならないという煩わしい操作が必要であることを意味し、この点も問題である。
【００１０】
また、特許文献１では、プレイリストを活用することなく自動で飛び越し再生が行われることにより光ディスクに記録されたコンテンツを容易に把握することができるものの、装置自体がこのような飛び越し再生方式を有していなければ、光ディスクに記録されたコンテンツを容易に把握することができない。
【００１１】
本発明はこのような従来の課題を解決しようとするものであり、プレイリストを光ディスクに記録し、煩わしい操作をユーザに行わせることなく、他の装置においても光ディスクに記録されたコンテンツを容易に把握できる光ディスク装置を提供することを目的とする。
【課題を解決するための手段】
【００１２】
本発明の光ディスク装置は、前記課題を解決するために以下の構成を備えている。
【００１３】
（１）装置本体にセットされている光ディスクに記録された映像データを再生する際の、該映像データの再生手順を示すプレイリストを作成するプレイリスト作成手段を備える光ディスク装置において、
前記プレイリスト作成手段は、映像データを前記光ディスクに記録する際、該映像データの所定の間隔毎に、該映像データを数秒間再生するプレイリストを作成し、
前記プレイリスト作成手段が前記プレイリストを作成すると、該プレイリストを光ディスクに記録するプレイリスト記録手段を備える。
【００１４】
この構成において、光ディスク装置は、例えばＤＶＤレコーダである。光ディスクは、ランダムアクセスが可能な媒体であり、例えばＣＤ−Ｒ、ＣＤ−ＲＷ、ＤＶＤ−Ｒ、ＤＶＤ＋Ｒ、ＤＶＤ−ＲＡＭ、ＤＶＤ−ＲＷ、又はＤＶＤ＋ＲＷである。
また、上記所定の間隔は、予め設定する値であり、例えば再生時間にして３分、５分、１０分である。上記数秒間は、予め設定する値であり、例えば再生時間にして５秒、１０秒、１５秒、３０秒、６０秒、又は１２０秒である。
また、光ディスクに記録する映像データは、例えばＴＶ番組、撮像した動画、インターネットから送信されてくる映像データである。
上記プレイリスト作成手段は、チャプタ単位でプレイリストを作成するのが好ましい。
以上より、煩わしい操作をユーザに行わせることなく、他の装置においても光ディスクに記録されたコンテンツを容易に把握できるという効果を奏する。他の装置は、例えば光ディスク装置、光ディスクドライブ装置、又はパーソナルコンピュータである。
【００１５】
（２）前記プレイリスト作成手段は、映像データを前記光ディスクに記録する際、該映像データの所定の間隔毎に、数秒間再生する映像データそのものを前記プレイリストとして作成する。
【００１６】
この構成において、作成されるプレイリストは、実体の有る、映像データとなる。
上記プレイリスト作成手段は、光ディスクに記録される映像データを５分毎に１０秒間ずつ取得し、順じ記憶していくことにより作成する。
上記プレイリスト記録手段は、プレイリスト作成手段が作成したプレイリストを光ディスクのデータ領域に記録する。
そのため、他の装置は、プレイリストが記録された光ディスクを再生する際、通常の再生によりプレイリストである映像データを再生することができる。
以上より、煩わしい操作をユーザに行わせることなく、他の装置においても光ディスクに記録されたコンテンツを容易に把握できるという効果を奏する。
【００１７】
（３）前記プレイリスト作成手段は、前記所定の間隔を光ディスクのアドレスで定め、前記数秒間を該アドレスからの再生時間とし、該光ディスクのアドレス及び該再生時間を前記プレイリストとして作成する。
【００１８】
この構成において、作成されるプレイリストは、実体の無い、ショートカットやエイリアスのようなものに相当する。
上記プレイリスト作成手段は、映像データが光ディスクのどのアドレスに記録されたかを調べ、前記所定の間隔毎にアドレスを取得し、該取得したアドレスを順じ記憶していき、該アドレスからの再生時間を設定することにより作成できる。
上記プレイリスト記録手段は、プレイリスト作成手段が作成したプレイリストを光ディスクのデータ領域又はリードイン領域に記録する。
他の装置がそのプレイリストを活用できるのであれば、他の装置は、プレイリストが記録された光ディスクを再生する際、プレイリストに基づいて飛び越し再生を自動で行うことができる。
飛び越し再生を詳述すると、他の装置は飛び越し時間光ディスクを飛び越して、上記再生時間光ディスクを再生する。さらに、他の装置は、飛び越しと再生時間光ディスクの再生とを交互に繰り返して光ディスクを再生する。
以上より、煩わしい操作をユーザに行わせることなく、プレイリストを活用できる他の装置において、光ディスクに記録されたコンテンツを容易に把握できるという効果を奏する。
なお、プレイリストを活用できる他の装置は、少なくともパーソナルコンピュータである。パーソナルコンピュータは、そのプレイリストが汎用のファイル形式で記載されている限り、そのプレイリストを読取り、認識することができる。
【００１９】
（４）光ディスクに記録されたプレイリストに基づいて再生するプレイリスト再生キーを有する操作手段と、
前記操作手段の前記プレイリスト再生キーが選択された際、前記光ディスクに前記プレイリスト作成手段により作成される前記プレイリストが記録されているか否か判断し、前記プレイリストが記録されている場合に、前記光ディスクに記録された前記プレイリストに基づいて映像データを再生する再生手段と、を備える。
【００２０】
この構成において、上記再生手段は、上記（３）においてプレイリスト作成手段がプレイリストを記録する箇所を探すことにより、上記判断を行う。つまり、光ディスクのリードイン領域に記録するのであればリードイン領域を探し、データ領域に記録するのであればデータ領域を探すことにより、上記判断を行う。
そして、光ディスク装置は、プレイリストが記録された光ディスクを再生する際、再生手段によってプレイリストに基づいて飛び越し再生を自動で行うことができる。
以上より、煩わしい操作をユーザに行わせることなく、他の装置だけでなく、装置本体においても、光ディスクに記録されたコンテンツを容易に把握できるという効果を奏する。
【発明の効果】
【００２１】
この発明によれば、煩わしい操作をユーザに行わせることなく、他の装置においても光ディスクに記録されたコンテンツを容易に把握できるという効果を奏する。
【発明を実施するための最良の形態】
【００２２】
以下、本発明の実施形態である光ディスク装置について説明する。
【００２３】
図１は、本発明の実施形態である光ディスク装置の主要な構成を示すブロック図である。
光ディスク装置１は、所謂ＤＶＤレコーダであり、装置本体１を制御する制御部４と、光ディスク１００に対しデータの記録や読取を行うピックアップヘッド２（以下、PUヘッド２と称する。）と、RFアンプなどの記録再生部３と、録音キーまたは録画キー等の選択キーが設けられている操作部５と、情報を表示する表示部７と、データを記憶する記憶部６と、音声データをアナログの再生音声信号に変換するＤ／Ａコンバータ１１と、映像データをアナログの再生映像信号に変換する映像処理部１３と、ＴＶ放送信号を受信してデータを取得する受信部１０と、を備えている。
【００２４】
光ディスク１００は、例えばＣＤ−Ｒ、ＣＤ−ＲＷ、ＤＶＤ−Ｒ、ＤＶＤ＋Ｒ、ＤＶＤ−ＲＡＭ、ＤＶＤ−ＲＷ、又はＤＶＤ＋ＲＷである。
【００２５】
PUヘッド２は、図示しないレーザダイオード（ＬＤ）、コリメータレンズ、ビームスプリッタ、対物レンズ、フォトディテクタ、スレッドモータ、及び２軸のアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、及び光ディスク１００の半径方向に移動させる。
【００２６】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
記録再生部３は、ＰＵヘッド２における複数の受光素子の出力に基づいてＲＦ信号を生成し、該ＲＦ信号を増幅する。そして、記録再生部３は、該ＲＦ信号を処理して映像と音声のデータを取り出し、デコードする。ここで、取り出される映像と音声のデータは、例えばＭＰＥＧでエンコードされている。そして、記録再生部３は、音声データをＤ／Ａコンバータ１１に、映像データを映像処理部１３に、両データの同期を取りながら、それぞれ出力する。
Ｄ／Ａコンバータ１１は、伸長された音声データをアナログの再生音声信号に変換し、その再生音声信号を外部のテレビジョン１０１に出力する。
なお、テレビジョン１０１がディジタル対応であれば、ディジタルで出力しても構わない。
【００２７】
映像処理部１３は、入力された映像データをアナログの再生映像信号に変換し、外部のテレビジョン１０１に出力する。
なお、テレビジョン１０１がディジタル対応であれば、ディジタルで出力しても構わない。
【００２８】
Ｄ／Ａコンバータ１１及び映像処理部１３には、テレビジョン１０１が接続され、ユーザは、このテレビジョン１０１において、Ｄ／Ａコンバータ１１及び映像処理部１３から出力された映像信号に基づく映像、及び音声信号に基づく音声を視聴することができる。
【００２９】
次に、記録時の動作について説明する。
受信部１０は、例えばチューナである。
受信部１０は、ＴＶ放送等を受信するアンテナから選択されているチャンネルのＴＶ放送信号を抽出して、Ａ／Ｄ変換してディジタル化し、出力する。インターネット、ディジタル放送などのようにデータとして入力されてくるならば、受信部１０は、パケット又はＴＶ放送信号等からデータを抽出して、出力する。
ここで、受信部１０は、ＴＶ放送等のアンテナからＴＶ放送信号等を受信するに限らず、撮像装置で撮像した動画なども受信する。
【００３０】
そして、記録再生部３は、入力されたデータを（例えば、ＭＰＥＧで）エンコードし、ディジタル信号をＰＵヘッド２に出力する。該入力されたデータは、ＡＶ（オーディオビジュアル）データを含んでおり、分離された後エンコードされる。
そして、ＰＵヘッド２は、記録再生部３からディジタル信号が入力されると、このディジタル信号に応じて記録パワーのレーザ光を制御し、光ディスク１００の記録面に照射する。
【００３１】
操作部５は、ユーザが光ディスク装置１に対して各種の命令（コマンド）を入力するためのものであり、光ディスク１００に記録されたプレイリストに基づいて再生するプレイリスト再生キーとトリックプレイキーと録画予約キーとを含む複数のキーが設けられている。光ディスク装置１に対してユーザが入力したコマンドは制御部４に伝送される。
このトリックプレイキーは、例えば再生キー、録画キー、スキップキー、早送りキー、又はリピートキーである。録画予約キーは、録画予約する際に使用するキーである。
【００３２】
記憶部６は、例えばＥＥＰＲＯＭで構成されており、装置本体１の主制御プログラムを記憶する。さらに、記憶部６は、制御部４により作成されたプレイリスト及び録画予約情報を記憶する。この録画予約情報は、操作部５の録画予約キーによって登録することができ、その録画が可能であれば記憶部６に登録される。この録画予約情報には、放送局ＩＤ、録画予約された放送番組のチャンネル（録画予約チャンネル）、録画開始日時／録画終了日時、記録画質等が含まれる。
【００３３】
表示部７は、時刻、光ディスク装置１の設定状態などを表示する。
制御部４は、例えばマイクロコンピュータで構成されており、光ディスク装置１にユーザから入力された命令に応じて光ディスク装置１の各部を制御する。
さらに、制御部４は、時間及び時刻を経時するタイマー回路（時計ユニット）を内蔵する。
制御部４は、タイマー回路（時計ユニット）及び記憶部６の上記録画予約情報をモニタしながら、ユーザにより設定された録画予約情報を管理し、録画開始時刻に達した時点で録画開始、及び録画終了時刻に達した時点で録画終了を決定する。
【００３４】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００３５】
ここで、ＰＵヘッド２、記録再生部３、及び制御部４が、本発明の「プレイリスト記録手段」に相当する。また、制御部４、ＰＵヘッド２、記録再生部３、Ｄ／Ａコンバータ１１及び映像処理部１３が、本発明の「再生手段」に相当する。また、記憶部６及び制御部４が、本発明の「プレイリスト作成手段」に相当する。
【００３６】
図２は、光ディスク１００の記録領域を示す図である。光ディスク１００の記録領域は、その内周から外周にかけてＰＣＡ、ＲＭＡ、リードイン領域、データ領域、リードアウト領域に分けられている。
【００３７】
ＰＣＡは、レーザパワーの校正が行える領域である。ＲＭＡは、光ディスク装置１にとって必要な記録管理情報が記録されている領域である。リードイン領域は、光ディスク１００上のデータ領域に記録されているデータのＴＯＣデータが記録されている領域である。このＴＯＣデータには、保存されたデータがファイナライズされているかどうかの情報、データが保存された日付、保存されたデータのタイトル情報、保存されたデータの光ディスク上のアドレス情報などが含まれている。データ領域は、保存されたデータが記録されている領域である。リードアウト領域は、保存されたデータがファイナライズされた場合に作成される領域である。このファイナライズとは、他の装置と互換性を持つようにするために記録情報を整えるためのプロセスである。ファイナライズを行うことにより、他の装置においても光ディスク１００の再生が可能となる。
なお、他の装置は、例えば光ディスク装置、光ディスクドライブ装置、又はパーソナルコンピュータである。
【００３８】
図３は、本発明の実施形態である光ディスク装置において制御部が行う動作を示すフローチャートである。この動作は、録画キーの押下又は録画開始時刻に達した時がトリガとなって開始される動作である。図３で示されているメインルーチンは、上記主制御プログラムに関連する（プレインストールされている）ルーチンであり、録画キーの押下時又は録画開始時刻に達した時に、主制御プログラムからコールされる。
なお、ここでは、ＴＶ番組の録画、撮像した動画の録画、インターネットから送信されてくる映像データの録画などを代表して、ＴＶ番組の録画を行う際の動作を説明する。
【００３９】
録画キーの押下又は録画開始時刻に達すると、それがトリガとなり、制御部４は、図３で示されているメインルーチンを実行し、以下の動作を行う。
【００４０】
まず、制御部４は、装置本体１に光ディスク１００がセットされているかＰＵヘッド２に確認させる（ｓ１）。この判断は、例えばレーザ光をＰＵヘッド２に照射させ、ＰＵヘッド２がその反射光を検出できるか否かにより行われる。ＰＵヘッド２が反射光を検出できれば、記録再生部３が該反射光を電気信号に変換し、制御部４に転送する。制御部４は、該電気信号が転送されたことにより、光ディスク１００が装置本体１にセットされていると判断できる。
【００４１】
装置本体１に光ディスク１００がセットされていないと判断すると、制御部４は、本処理を終了する。
【００４２】
装置本体１に光ディスク１００がセットされていると判断すると、制御部４は、光ディスク１００上のＰＣＡにレーザ光が照射される位置へＰＵヘッド２を移動させ、そのＰＣＡにおいて、記録パワーのレーザ光のレーザパワーの校正を行う（ｓ２）。
【００４３】
なお、現在の一般的な光ディスク装置は、ユーザが録画または録音にかかる入力操作を行った際、光ディスク上のＰＣＡにおいて、記録パワーのレーザ光のレーザパワーの校正を行う。そのＰＣＡでは、レーザパワーの校正が９９回行える。そのため、ユーザが、同一光ディスクにおいてファイナライズを行わずに録画または録音にかかる入力操作を９９回を越えて行うとレーザパワーの校正が不可能となる。しかし、通常ファイナライズを行うまでに録画または録音を実行する回数は、数回程度、多くとも１０数回程度である。よって、未ファイナライズの光ディスク１００がセットされた時に、レーザパワーの校正が行えるＰＣＡが存在しないという状況は非常に稀である。そのため、ｓ２の処理はほぼ確実に行える。
【００４４】
ｓ２の処理開始とともに、制御部４は、記録再生部３を通過するエンコード後のデータを調査し、後述のｓ６において作成するプレイリストのデータ量を算出する（ｓ３）。ｓ３の算出は、確実にデータ量を求めることができない場合もあるので、言い換えれば、推定である。プレイリストのデータ量の算出は、予め設定される所定の間隔及び数秒間と（後述のｓ６及び図４参照）、ＴＶ番組などの制御データと、を調べることにより行なわれる。ＴＶ番組の制御データとは、例えばＴＶ番組の全データ量、ＴＶ番組のビットレート、ＴＶ番組の放映時間又は録画予約時間である。録画予約時間は、録画開始時刻から録画終了時刻の間の時間である。
【００４５】
制御部４は、本来記録を開始する位置から、ｓ３において算出したデータ量分開けた位置にＰＵヘッド２を移動させる（ｓ４）。ここで、本来記録を開始する位置とは、例えば図２のデータ領域の先頭である。
ｓ３において算出したデータ量分は、後述のｓ６において作成するプレイリストのために、リザーブ（予約）して未記憶にしておく。ＴＶ番組の記録終了後、後述のｓ６において作成するプレイリストは、後述のｓ８においてそのリザーブ領域に記録される。つまり、後述のｓ６において作成するプレイリストは、オリジナルリストの前に記録される（後述図４（a）参照）。
なお、この実施形態では、ｓ４において、本来記録を開始する位置から、ｓ３において算出したデータ量分開けた位置にＰＵヘッド２を移動させているが、該算出したデータ量分だけでなく、該算出したデータ量分より十分大きいデータ量分開けた位置にＰＵヘッド２を移動させても良い。例えば該算出したデータ量が１０Ｍバイトなら、十分大きいデータ量は、１１Ｍバイトである。このようにする理由は、ｓ３において算出したデータ量に多少誤差や誤りがあっても、リザーブ領域に余裕を持たせることにより、ｓ８においてプレイリストが記録できないといった事態を防止するためである。この場合、他の装置において再生が行われた場合、上記１１Ｍバイトと上記１０Ｍバイトとの差分である１Ｍバイトには何もデータが記録されていないことになるため、何も再生されない点注意する。よって、差分は、あまり大きすぎず小さすぎない値に設定することが好ましい。他の装置は、例えば光ディスク装置、光ディスクドライブ装置、又はパーソナルコンピュータである。
また、後述のｓ６において作成するプレイリストをオリジナルリストの前でなく、後ろに記録させても良い（後述図４（a）参照）。後ろに記録するのであれば、ｓ３の処理はスルーし、ｓ４では本来記録を開始する位置にＰＵヘッド２を移動させる。
【００４６】
そして、制御部４は、録画を行うため、装置本体１各部の制御を実行する（ｓ５）。これにより、ＰＵヘッド２は、光ディスク１００に対しデータの記録を開始する。
【００４７】
ＰＵヘッド２が映像データを光ディスク１００に記録する際、制御部４は、該映像データの所定の間隔毎に、該映像データを数秒間再生するプレイリストを作成する（ｓ６）。プレイリストとは、装置本体１にセットされている光ディスク１００に記録された映像データを再生する際の、該映像データの再生手順を示すものである。ｓ６において、制御部４は、例えば図４のようにプレイリストを作成する。
【００４８】
図４は、オリジナルリストと該オリジナルリストの再生手順を示すプレイリストとの一例を示す図である。
図４（a）は、映像データが記録された光ディスク１００のオリジナルリストの様子を示す図である。オリジナルリストとは、映像データの一覧である。
図４（b）は、作成されたプレイリストの様子を示す図である。
【００４９】
図４（a）において、映像データの所定の間隔毎は、映像データの再生時間５分毎である。また、映像データを数秒間再生する「数秒間」は、１０秒である。
なお、この実施形態において、所定の間隔を再生時間５分、「数秒間」を１０秒として予め定めているが、これに限定されるものでない。
また、映像データの所定の間隔は、ＶＲモード等の所定のＤＶＤ規格に従う必要があるならば、チャプタ単位で設定する。ＶＲモードにおいて、チャプタは、セルとアラインさせる（揃える）必要があることから、チャプタ長は、セル長に依存する。
【００５０】
ｓ６において、制御部４は、例えば図４（b）に示すようにプレイリストを作成する。プレイリスト作成方法は、以下２つあり、順に説明する。
【００５１】
第一の方法を説明する。制御部４は、ＰＵヘッド２が映像データを光ディスク１００に記録する際、該映像データの所定の間隔（再生時間５分）毎に、１０秒間再生する映像データそのものをプレイリストとして作成する。この作成は、記録再生部３を通過するエンコード後の映像データを５分毎に１０秒間ずつ取得し、順じ記憶部６に格納していくことにより達成できる。
この場合、プレイリストは、実体の有る、映像データの一覧となる。
また、ｓ３におけるプレイリストのデータ量の算出は、予め設定される所定の間隔（再生時間５分）及び１０秒間と、ＴＶ番組などの制御データと、を調べることにより行なわれる。ＴＶ番組の制御データとは、例えばＴＶ番組の全データ量、ＴＶ番組のビットレート、ＴＶ番組の放映時間又は録画予約時間である。録画予約時間は、録画開始時刻から録画終了時刻の間の時間である。
【００５２】
例えば、ＴＶ番組の放映時間又は録画予約時間が６０分であれば、再生時間５分のパートが１２個できることになり、制御部４は、１０秒間のパートが１２個、つまり、１２０秒を算出する。さらに、ビットレートが固定であれば、制御部４は、１２０秒と該固定ビットレートとを乗じ、乗じた値を上記プレイリストのデータ量として、上記プレイリストのデータ量を算出する。
一方、ビットレートが可変であれば、制御部４は、１２０秒と可変ビットレートの平均値とを乗じ、上記プレイリストのデータ量を算出する。可変ビットレートの場合、ｓ３の算出は、確実にデータ量を求めることができないので、推定である。
【００５３】
次に、第二の方法を説明する。制御部４は、所定の間隔を光ディスク１００のアドレスで定め、数秒間を該アドレスからの再生時間１０秒とし、該光ディスクのアドレス及び該再生時間１０秒をプレイリストとして作成する。この作成は、記録再生部３を通過するエンコード後のデータが光ディスク１００のどのアドレスに記録されたかを調べ、所定の間隔（５分）毎にアドレスを取得し、該取得したアドレスを順じ記憶部６に格納していき、該アドレスからの再生時間を１０秒と設定することにより作成できる。
この場合、プレイリストは、実体の無い、ショートカットやエイリアスのようなものに相当する。
【００５４】
後述のｓ８において、PUヘッド２は、制御部４の指示により、該プレイリストをデータ領域又はリードイン領域に記録する。データ領域に記録するのであれば、ｓ３におけるプレイリストのデータ量の算出は、実体が無いので、映像データのデータ量と比し、少ないデータ量で済む。一方、リードイン領域に記録するのであれば、ｓ３の処理はスルーし、ｓ４において、本来記録を開始する位置にＰＵヘッド２を移動させる。
【００５５】
制御部４は、ＴＶ番組の記録が終了したか否か判断する（ｓ７）。ＴＶ番組の記録が終了した場合とは、例えば録画終了時刻に達した時点である。
【００５６】
ＴＶ番組の記録が終了するのを待って、制御部４は、プレイリストの作成が完了すると、つまりプレイリストを作成すると、該プレイリストをＰＵヘッド２に記録させる（ｓ８）。詳述すると、制御部４は、該プレイリストを記憶部６から読み出し、記録再生部３に出力する。すると、記録再生部３は、入力されたディジタル信号をＰＵヘッド２に出力し、ＰＵヘッド２は、該プレイリストを光ディスク１００に記録する。記録再生部３は、必要であれば、入力されたデータを（例えば、ＭＰＥＧで）エンコードする。
【００５７】
ｓ８においてプレイリストは、ｓ４において予約されたリザーブ領域に記録される。つまり、プレイリストは、オリジナルリストの前に記録される（図４（a）参照）。
【００５８】
なお、ｓ６において作成するプレイリストをオリジナルリストの前でなく、後ろに記録させても良い（図４（a）参照）。後ろに記録するのであれば、ｓ３の処理はスルーし、ｓ４において、本来記録を開始する位置にＰＵヘッド２を移動させる。
【００５９】
そして、制御部４は、光ディスク１００をＰＵヘッド２にファイナライズさせ（ｓ９）、本処理を終了する。この処理により、光ディスク１００は、他の装置において活用することができる。
【００６０】
以上より、煩わしい操作をユーザに行わせることなく、他の装置においても光ディスク１００に記録されたコンテンツを容易に把握できるという効果を奏する。他の装置は、例えば光ディスク装置、光ディスクドライブ装置、又はパーソナルコンピュータである。
【００６１】
第一の方法によってプレイリストを作成した場合について説明する。
この場合、第一の方法によって作成したプレイリストが記録された光ディスク１００を他の装置にセットし、再生すると、プレイリストの映像データが最初に再生される。これにより、煩わしい操作をユーザに行わせることなく、他の装置においても光ディスク１００に記録されたコンテンツを容易に把握できるという効果を奏する。
なお、プレイリストをＴＶ番組の後ろに記録した場合は、ユーザにその後ろの位置まで早送りさせ、その後ろの位置で再生させることにより、プレイリストの映像データが最初に再生される。
【００６２】
次に、第二の方法によってプレイリストを作成した場合について説明する。
図５は、プレイリストに基づく再生の動作を説明する図である。
図５（a）は、図４（a）と対応しており、プレイリストに基づいてオリジナルリストを飛び越し再生している様子が示されている。
【００６３】
この場合、第二の方法によって作成したプレイリストが記録された光ディスク１００を他の装置にセットすると、他の装置がそのプレイリストを活用できるのであれば、他の装置は、図５に示すように、プレイリストに基づいて飛び越し再生を自動で行うことができる。図５の飛び越し時間は、図４の５分から１０秒を引いた時間（４分５０秒）に相当し、再生時間は、図４の１０秒に相当する。
【００６４】
詳細に説明すると、他の装置は、飛び越し時間光ディスク１００を飛び越して、再生時間光ディスク１００を再生する。さらに、他の装置は、飛び越しと再生時間光ディスク１００の再生とを交互に繰り返して光ディスク１００を再生する。
これにより、煩わしい操作をユーザに行わせることなく、プレイリストを活用できる他の装置においても光ディスク１００に記録されたコンテンツを容易に把握できるという効果を奏する。
なお、プレイリストを活用できる他の装置は、少なくともパーソナルコンピュータである。パーソナルコンピュータは、そのプレイリストが汎用のファイル形式で記載されている限り、そのプレイリストを読取り、認識することができる。
【００６５】
図６は、本発明の実施形態である光ディスク装置においてプレイリスト再生キー押下時に制御部が行う動作を示すフローチャートである。図６で示されているメインルーチンは、上記主制御プログラムに関連する（プレインストールされている）ルーチンであり、プレイリスト再生キー押下により、主制御プログラムからコールされる。
また、このルーチンは、第二の方法によって作成されたプレイリストが記録された光ディスク１００を想定している。
第一の方法によって作成されたプレイリストが記録された光ディスク１００は、プレイリストが実体のあるデータであるため、プレイリスト再生をせずとも、通常の再生によりプレイリストを再生することができる。もちろん、図６に示すように、プレイリスト再生キーを用いてプレイリスト再生をさせても良い。
【００６６】
プレイリスト再生キーが押下されると、それがトリガとなり、制御部４は、図６で示されているメインルーチンを実行し、以下の動作を行う。
【００６７】
まず、制御部４は、光ディスク１００が装置本体１にセットされているか判断する（ｓ２０１）。この判断は、例えばレーザ光をＰＵヘッド２に照射させ、ＰＵヘッド２がその反射光を検出できるか否かにより行われる。ＰＵヘッド２が反射光を検出できれば、記録再生部３が該反射光を電気信号に変換し、制御部４に転送する。制御部４は、該電気信号が転送されたことにより、光ディスク１００が装置本体１にセットされていると判断できる。
【００６８】
ｓ２において、光ディスク１００が装置本体１にセットされていないと判断すると、制御部４は、ユーザに対し光ディスクの装置本体へのセットを要求する旨表示部７に表示させ（ｓ２０４）、本処理を終了する。ユーザに対し光ディスクの装置本体へのセットを要求する旨は、例えばディスクを装置本体にセットしてくださいである。
【００６９】
一方、ｓ２０１において、光ディスク１００が装置本体１にセットされていると判断すると、制御部４は、光ディスク１００にプレイリストが記録されているか否か判断する（ｓ２０２）。この判断は、装置本体１が図３のｓ８においてプレイリストを記録する箇所を探すことにより行なわれる。つまり、光ディスク１００のリードイン領域に記録するのであればリードイン領域を探し、データ領域に記録するのであればデータ領域を探すことにより行なわれる。これらの領域は、当然ＰＵヘッド２をシークさせて探す。
【００７０】
ｓ２０２において、光ディスク１００にプレイリストが記録されていないと判断すると、制御部４は、プレイリスト再生が不可能である旨表示部７に表示させ（ｓ２０４）、本処理を終了する。
【００７１】
ｓ２０２において、光ディスク１００にプレイリストが記録されていると判断すると、制御部４は、光ディスク１００に記録されたプレイリストに基づいて映像データを再生し（ｓ２０３）、本処理を終了する。
これにより、光ディスク装置１は、上述の他の装置と同様、図５に示すように、プレイリストに基づいて自動で飛び越し再生が行うことができる。詳細についても上述の他の装置と同様であるため、詳細説明は省略する。
【００７２】
以上より、煩わしい操作をユーザに行わせることなく、他の装置だけでなく、光ディスク装置１においても光ディスク１００に記録されたコンテンツを容易に把握できるという効果を奏する。
【図面の簡単な説明】
【００７３】
【図１】本発明の実施形態である光ディスク装置の主要な構成を示すブロック図
【図２】光ディスク１００の記録領域を示す図
【図３】本発明の実施形態である光ディスク装置において制御部が行う動作を示すフローチャート
【図４】オリジナルリストと該オリジナルリストの再生手順を示すプレイリストとの一例を示す図
【図５】プレイリストに基づく再生の動作を説明する図
【図６】本発明の実施形態である光ディスク装置においてプレイリスト再生キー押下時に制御部が行う動作を示すフローチャート
【符号の説明】
【００７４】
１−光ディスク装置
２−PUヘッド
３−記録再生部
４−制御部
５−操作部
６−記憶部
７−表示部
１０−受信部
１１−Ｄ／Ａコンバータ
１３−映像処理部
１００−光ディスク
１０１−テレビジョン
【図１】
2007179698.tif 000003
【図２】
2007179698.tif 000004
【図３】
2007179698.tif 000005
【図４】
2007179698.tif 000006
【図５】
2007179698.tif 000007
【図６】
2007179698.tif 000008